(57)【要約】【課題】放送にて受信した映像とネットコンテンツとの双方をユーザに好適に鑑賞させることができる表示装置を提供する。【解決手段】映像コンテンツと映像コンテンツに関連する情報を含む付加コンテンツとを受信可能なテレビ１０は、映像コンテンツを表示部１６に表示するとともに付加コンテンツをタブレット端末２０に表示する分離部１２を備えている。【選択図】図１
2013046386.tif 000002
【特許請求の範囲】
【請求項１】
映像コンテンツと前記映像コンテンツに関連する情報を含む付加コンテンツとを自装置が備える表示部に表示可能な表示装置であって、
前記映像コンテンツを前記表示部に表示する表示制御手段と、
前記付加コンテンツを、前記付加コンテンツを表示する別個の表示装置に転送する転送手段と、を備えていることを特徴とする表示装置。
【請求項２】
前記表示装置は、放送波を媒介として、少なくとも前記映像コンテンツおよび前記付加コンテンツを含む各コンテンツを受信するように構成されており、
前記放送波から、前記コンテンツが双方向通信のために参照される参照情報を含んでいるか否かを示すメタ情報を抽出する抽出手段をさらに備え、
前記転送手段は、前記メタ情報を用いて、各コンテンツについて当該コンテンツが前記参照情報を含んでいるか否かを判定し、前記参照情報を含んでいると判定されたコンテンツのみを転送することを特徴とする請求項１に記載の表示装置。
【請求項３】
前記表示部に表示される前記映像コンテンツと前記別個の表示装置に表示される付加コンテンツとを同期表示させるための同期制御手段を更に備え、
前記同期制御手段は、前記表示部を備えた表示装置の時刻情報を前記別個の表示装置に送信することによって、前記別個の表示装置との時刻同期を行うことを特徴とする請求項１または２に記載の表示装置。
【請求項４】
前記別個の表示装置は、所定の時刻サーバから配信された時刻情報を用いて自装置の時刻情報を設定するように構成されており、
前記表示部に表示される前記映像コンテンツと前記別個の表示装置に表示される付加コンテンツとを同期表示させるための同期制御手段を更に備え、
前記同期制御手段は、前記時刻サーバから配信された時刻情報を用いて、前記別個の表示装置との時刻同期を行うことを特徴とする請求項１または２に記載の表示装置。
【請求項５】
前記付加コンテンツに前記映像コンテンツを表示するための情報が含まれている場合に、前記付加コンテンツを、当該情報が削除された新たな付加コンテンツに変換する文書変換手段を更に備えることを特徴とする請求項１から４の何れか１項に記載の表示装置。
【請求項６】
請求項１から５の何れか１項に記載の表示装置の各手段を備えていることを特徴とするテレビジョン受像機。
【請求項７】
請求項１から５のいずれか１項に記載の表示装置と、前記別個の表示装置と、を含んでいることを特徴とする表示システム。
【請求項８】
映像コンテンツと前記映像コンテンツに関連する情報を含む付加コンテンツとを含む番組コンテンツを受信可能な受信装置であって、
前記受信装置が、前記番組コンテンツ内の前記付加コンテンツを外部の表示装置に転送する転送手段を備えている、ことを特徴とする受信装置。
【請求項９】
前記付加コンテンツに前記映像コンテンツを表示するための情報が含まれている場合に、前記付加コンテンツを、当該情報が削除された新たな付加コンテンツに変換する文書変換手段を更に備えることを特徴とする請求項８に記載の受信装置。
【請求項１０】
映像コンテンツと前記映像コンテンツに関連する情報を含む付加コンテンツとを含む番組コンテンツを受信可能な受信装置と、前記番組コンテンツ内の映像コンテンツを表示す
る第１の表示装置と、前記付加コンテンツを表示可能な第２の表示装置と、を含む表示システムであって、
前記受信装置は、前記番組コンテンツ内の前記付加コンテンツを第２の表示装置に転送する転送手段を備え、
前記第２の表示装置は、前記受信装置と前記第１の表示装置とに同一の番組コンテンツを受信させるよう各装置を制御する制御手段を備えている、ことを特徴とする表示システム。
【請求項１１】
映像コンテンツと前記映像コンテンツに関連する情報を含む付加コンテンツとを自装置が備える表示部に表示可能な表示装置の表示方法であって、
前記映像コンテンツを前記表示部に表示する表示制御工程と、
前記付加コンテンツを、前記付加コンテンツを表示する別個の表示装置に転送する転送工程と、を含んでいることを特徴とする表示方法。
【請求項１２】
映像コンテンツと前記映像コンテンツに関連する情報を含む付加コンテンツとを自装置が備える表示部に表示可能な表示装置であって、
前記付加コンテンツを、前記表示部に表示する表示制御手段と、
前記映像コンテンツを、前記映像コンテンツを表示する別個の表示装置に転送する転送手段と、を備えていることを特徴とする表示装置。
【請求項１３】
コンピュータを請求項１から５までの何れか１項に記載の表示装置として動作させるためのプログラムであって、前記コンピュータを前記表示装置が備えている前記各手段として機能させるプログラム。
【請求項１４】
コンピュータを請求項８または９に記載の受信装置として動作させるためのプログラムであって、前記コンピュータを前記受信装置が備えている前記手段として機能させるプログラム。
【請求項１５】
請求項１３または１４に記載のプログラムが記録されているコンピュータ読み取り可能な記録媒体。
【発明の詳細な説明】
【技術分野】
【０００１】
本発明はデジタル放送における映像コンテンツとＢＭＬコンテンツのような付加コンテンツとを表示可能な表示装置、および、映像コンテンツと付加コンテンツとを受信可能な受信装置に関する。また、本発明は、そのような表示装置における表示方法、表示システム等に関する。
【背景技術】
【０００２】
近年、放送のデジタル化が進み、デジタル放送受信機は、放送のみならずインターネットのサービスも視聴可能となり、さらに、放送とインターネットサービスとを融合させた様々な放送サービスが提供されつつある。こうしたサービスを受信可能な現在のテレビジョン受像機は、チューナで受信した放送コンテンツと、通信用のインターフェースを介して受信したネットコンテンツとともに表示画面内に表示するように構成されている。
【０００３】
そのため、複数ある表示内容をユーザに一層認識させ易くするような態様で表示装置に表示するための様々な技術が従来から提案されている。
【０００４】
そのような技術の一例として、以下の特許文献１〜特許文献５に開示されているような、表示すべき内容を複数の表示装置を用いて表示する技術が挙げられる。
【０００５】
例えば、特許文献１には、ＰＣのウィンドウで作成されたデータをウィンドウ毎に複数のディスプレイに表示可能なオペレーションシステムが記載されている。
【０００６】
また、特許文献２には、コンピュータにインストールされている複数のアプリケーションプログラムのそれぞれに対し、ユーザがそのプログラムの実行時の表示に使用するディスプレイを指定し、ユーザに指定されたディスプレイにそのプログラムのウィンドウを表示するマルチディスプレイシステムが記載されている。
【０００７】
また、特許文献３には、放送画像の画像領域が表示手段の表示可能領域を超える場合に表示可能な画像サイズに対応した部分画像を放送画像から抜き出してディスプレイに表示させるデジタル放送用表示装置が記載されている。
【０００８】
また、特許文献４には、テレビ画像をサブディスプレイの画面サイズに合う大きさに縮小し、その縮小したテレビ画像と、電池の残量情報やアンテナの状況、時計などの情報を表すステータス画像とをユーザ操作によって択一的に選択してサブディスプレイに表示する携帯電話端末が記載されている。
【０００９】
また、特許文献５には、第１の表示手段と第１の表示手段よりも小型の第２の表示手段とが接続され、第１の表示手段に表示される電子番組案内データの一部を第２の表示手段に表示させる処理を行う提示処理手段を備えるデジタル放送受信機が記載されている。
【００１０】
デジタル放送で、放送された映像とネットコンテンツとを表示画面内に同時に表示する方法としては、（１）映像をフルスクリーン表示し、その一部にネットコンテンツを重畳させて表示する方法、および（２）映像を縮小し、表示画面内の一部の領域に縮小した映像を表示し、残りの領域にネットコンテンツを表示する方法が一般的に用いられる。
【先行技術文献】
【特許文献】
【００１１】
【特許文献１】特開２００８−２７６４３３号公報（２００８年１１月１３日公開）
【特許文献２】特開２００８−１６４９８８号公報（２００８年７月１７日公開）
【特許文献３】特開２００７−１１０７５０号公報（２００７年４月２６日公開）
【特許文献４】特開２００７−１９６２８号公報（２００７年１月２５日公開）
【特許文献５】特開２００３−２１９３０１号公報（２００３年７月３１日公開）
【発明の概要】
【発明が解決しようとする課題】
【００１２】
しかしながら、（１）の方法では、表示される映像の一部がネットコンテンツによって隠れてしまう。また、（２）の方法には、映像が小さくなり見づらくなるといった問題がある。
【００１３】
また、通常のネットコンテンツは、パーソナルコンピュータ（ＰＣ）やタブレット端末などで鑑賞する場合のように、ユーザが近くにあるディスプレイを見ながら鑑賞することを前提として作成されている。一方、テレビジョン受像機で視聴する放送コンテンツは、画面の高さの３倍の位置からの視聴を前提として作成されている。このため、ユーザが、離れた位置にある据え置き型のテレビジョン受像機でネットコンテンツを鑑賞する場合には、ネットコンテンツ内の文字が見づらくなってしまう。
【００１４】
ネットコンテンツの視認性を改善するための方法としては、例えば、ユーザ側の操作で文字サイズを拡大させるような設定を行う方法、コンテンツ提供者側で通常のネットコンテンツとテレビ専用のネットコンテンツとの双方を用意し、再生側が適切な方を選択して再生する方法が挙げられる。しかしながら、文字サイズを拡大した場合、画面内で表示可能な文字の個数が減り、一部が表示されなくなってしまう。また、テレビ専用のネットコンテンツを用意する場合にはコンテンツ提供者の開発コストが大きくなってしまう。
【００１５】
本発明は、上記の様々な問題点に鑑みてなされたものであって、その主たる目的は、放送にて受信した映像と、放送映像に関連のあるネットコンテンツとの双方をユーザに好適に鑑賞させることが可能な表示装置を提供することにある。
【課題を解決するための手段】
【００１６】
上記の課題を解決するために、本発明に係る表示装置は、映像コンテンツと前記映像コンテンツに関連する情報を含む付加コンテンツとを自装置が備える表示部に表示可能な表示装置であって、前記映像コンテンツを前記表示部に表示する表示制御手段と、前記付加コンテンツを、前記付加コンテンツを表示する別個の表示装置に転送する転送手段と、を備えていることを特徴としている。
【００１７】
ここで、映像コンテンツに関連する情報とは、例えば、文書データ、レイアウト、静止画などの情報が挙げられる。
【００１８】
したがって、本発明に係る表示装置は、ユーザが、前記別個の表示装置としてタブレット端末のようなユーザが手元で操作することが可能であり、携帯して使用する付加コンテンツの鑑賞に好適な表示装置を選択した場合に、放送にて受信した映像と付加コンテンツとの双方をユーザに好適に鑑賞させることができる。
【００１９】
本発明に係る表示方法は、映像コンテンツと前記映像コンテンツに関連する情報を含む付加コンテンツとを自装置が備える表示部に表示可能な表示装置の表示方法であって、前記映像コンテンツを前記表示部に表示する表示制御工程と、前記付加コンテンツを、前記付加コンテンツを表示する別個の表示装置に転送する転送工程と、を含んでいることを特
徴としている。
【００２０】
前記構成によれば、本発明に係る表示方法は、本発明に係る表示装置と同様の作用効果を奏する。
【００２１】
本発明に係る表示装置は、放送波を媒介として、少なくとも前記映像コンテンツおよび前記付加コンテンツを含む各コンテンツを受信するように構成されており、前記放送波から、前記コンテンツが双方向通信のために参照される参照情報を含んでいるか否かを示すメタ情報を抽出する抽出手段をさらに備え、前記転送手段は、前記メタ情報を用いて、各コンテンツについて当該コンテンツが前記参照情報を含んでいるか否かを判定し、前記参照情報を含んでいると判定されたコンテンツのみを転送することが望ましい。
【００２２】
映像コンテンツに関連する情報は前記参照情報に該当するので、前記構成によれば、前記表示装置は、前記別個の表示装置に、映像コンテンツに関連する情報を含んでいる付加コンテンツを表示させる。これにより、前記表示装置は、前記別個の表示装置にて前記映像コンテンツに関連するコンテンツを表示する場合に、より好適にユーザに映像コンテンツに関連するコンテンツを鑑賞させることができる。
【００２３】
本発明に係る表示装置は、前記表示部に表示される前記映像コンテンツと前記別個の表示装置に表示される付加コンテンツとを同期表示させるための同期制御手段を更に備え、前記同期制御手段は、前記表示部を備えた表示装置の時刻情報を前記別個の表示装置に送信することによって、前記別個の表示装置との時刻同期を行うことが好ましい。また、前記別個の表示装置は、所定の時刻サーバから配信された時刻情報を用いて自装置の時刻情報を設定するように構成されており、前記表示部に表示される前記映像コンテンツと前記別個の表示装置に表示される付加コンテンツとを同期表示させるための同期制御手段を更に備え、前記同期制御手段は、前記時刻サーバから配信された時刻情報を用いて、前記別個の表示装置との時刻同期を行うことが望ましい。
【００２４】
本発明に係る表示装置は、前記付加コンテンツに前記映像コンテンツを表示するための情報が含まれている場合に、前記付加コンテンツを、当該情報が削除された新たな付加コンテンツに変換する文書変換手段を更に備えることが望ましい。
【００２５】
前記構成によれば、前記別個の表示装置として前記情報に基づいて前記映像コンテンツを表示できないような表示装置を選択した場合に、無駄に前記情報を前記別個の表示装置に転送せずに済むというさらなる効果を奏する。
【００２６】
なお、本発明は、前記表示装置の各手段を備えていることを特徴とするテレビジョン受像機としても実現できるし、前記表示装置と、前記別個の表示装置と、を含んでいること表示システムとしても実現できる。
【００２７】
さらに、本発明は、映像コンテンツと前記映像コンテンツに関連する情報を含む付加コンテンツとを含む番組コンテンツを受信可能な受信装置であって、
前記受信装置が、前記番組コンテンツ内の前記付加コンテンツを外部の表示装置に転送する転送手段を備えている、受信装置としても実現できる。
【００２８】
前記外部の表示装置として、タブレット端末のようなユーザが手元で操作することが可能であり、携帯して使用する付加コンテンツの鑑賞に好適な表示装置を選択した場合に、付加コンテンツをユーザに好適に鑑賞させることができる。
【００２９】
本発明に係る前記受信装置は、前記付加コンテンツに前記映像コンテンツを表示するた
めの情報が含まれている場合に、前記付加コンテンツを、当該情報が削除された新たな付加コンテンツに変換する文書変換手段を更に備えることが望ましい。
【００３０】
前記構成によれば、前記外部の表示装置として前記情報に基づいて前記映像コンテンツを表示できないような表示装置を選択した場合に、無駄に前記情報を前記外部の表示装置に転送せずに済むというさらなる効果を奏する。
【００３１】
本発明に係る表示システムは、前記課題を解決するために、映像コンテンツと映像コンテンツに関連する情報を含む付加コンテンツとを含む番組コンテンツを受信可能な受信装置と、前記番組コンテンツ内の映像コンテンツを表示する第１の表示装置と、前記付加コンテンツを表示可能な第２の表示装置と、を含む表示システムであって、前記受信装置は、前記番組コンテンツ内の前記付加コンテンツを第２の表示装置に転送する転送手段を備え、前記第２の表示装置は、前記受信装置と前記第１の表示装置とに同一の番組コンテンツを受信させるよう各装置を制御する制御手段を備えている、ことを特徴としている。
【００３２】
前記構成によれば、同一番組コンテンツ内の映像コンテンツが前記第１の表示装置に表示され、付加コンテンツが前記第２の表示装置に表示される。
【００３３】
したがって、本発明に係る表示システムは、ユーザが、前記第１の表示装置としてユーザが離れて鑑賞することが一般的なテレビジョン受像機等の表示装置を選択し、前記第２の表示装置としてタブレット端末のようなユーザが手元で操作することが可能であり、携帯して使用する付加コンテンツの鑑賞に好適な表示装置を選択した場合に、放送にて受信した映像と付加コンテンツとの双方をユーザに好適に鑑賞させることができる。
【００３４】
本発明に係る表示装置は、映像コンテンツと前記映像コンテンツに関連する情報を含む付加コンテンツとを自装置が備える表示部に表示可能な表示装置であって、前記付加コンテンツを、前記表示部に表示する表示制御手段と、前記映像コンテンツを、前記映像コンテンツを表示する別個の表示装置に転送する転送手段と、を備えていることを特徴としている。
【００３５】
このような表示装置であっても、放送にて受信した映像と付加コンテンツとの双方をユーザに好適に鑑賞させることができる。
【００３６】
更に、コンピュータを上述した表示装置または受信装置として動作させるためのプログラム、及び、これらのプログラムが記録されているコンピュータ読み取り可能な記録媒体も本発明の範疇に含まれる。
【発明の効果】
【００３７】
本発明に係る表示装置は、映像コンテンツと前記映像コンテンツに関連する情報を含む付加コンテンツとを自装置が備える表示部に表示可能な表示装置であって、前記映像コンテンツを前記表示部に表示する表示制御手段と、前記付加コンテンツを、前記付加コンテンツを表示する別個の表示装置に転送する転送手段と、を備えていることを特徴としている。
【００３８】
したがって、本発明に係る表示装置は、ユーザが、前記別個の表示装置としてタブレット端末のようなユーザが手元で操作することが可能であり、携帯して使用する付加コンテンツの鑑賞に好適な表示装置を選択した場合に、放送にて受信した映像と付加コンテンツとの双方をユーザに好適に鑑賞させることができる。
【図面の簡単な説明】
【００３９】
【図１】実施形態１に係る通信システムの概略を示すブロック図である。
【図２】（ａ）は、放送データの構成を示す図であり、（ｂ）は、ＰＡＴのシンタックスの一例を示す図であり、（ｃ）は、ＰＩＤ＝program_map_PIDのシンタックスの一例を示す図である。
【図３】テレビが受信するＢＭＬ文書の一例を表す図である。
【図４】テレビおよびタブレット端末に表示される表示画面の一例を示す図である。
【図５】タブレット端末の表示画面の一例を示す図である。
【図６】実施形態２に係る通信システムの概略を示すブロック図である。
【図７】実施形態３に係る通信システムの概略を示すブロック図である。
【図８】テレビの表示画面の階層構造の一例を示す図である。
【図９】ＰＭＴのシンタックスの一例を示す図である。
【発明を実施するための形態】
【００４０】
〔実施形態１〕
本発明の一実施形態（実施形態１）について、図１から図５を参照して説明すれば、以下のとおりである。なお、以下の説明では本発明を実施するために好ましい種々の限定が付与されているが、本発明の技術的範囲は以下の実施形態及び図面の記載に限定されるものではない。特に、タブレット端末は、携帯機器の一例に過ぎず、本発明は、携帯電話端末、スマートフォン、ＰＤＡ（Personal Digital Assistant）、携帯型デジタルオーディオプレーヤ、デジタルカメラ、テレビリモコン等、表示部を有した携帯機器にも適用することができる。
【００４１】
（通信システム１の概略）
図１は、本実施形態に係る通信システム１の概略を示すブロック図である。図１に示すように、通信システム１は、各国のデジタル放送規格に準拠したテレビジョン受像機（テレビ、受信装置）１０と、タブレット端末（第２の表示装置）２０とを含んでいる。通信システム１は、テレビ１０が受信した映像コンテンツおよび文書コンテンツ（付加コンテンツ）のうち、映像コンテンツをテレビ１０に、文書コンテンツをタブレット端末２０に表示可能なシステムである。ここで、文書コンテンツとは、文書データ、レイアウト、静止画など映像に関連するデータから構成されるコンテンツで、その中にはネットコンテンツの取得先を示す情報（ＵＲＬ等）が含まれる。例えば、日本のデジタル放送では、ＢＭＬ（Broadcast Markup Language）コンテンツが文書コンテンツに該当する。
【００４２】
なお、テレビ１０は、表示モードに応じて、映像コンテンツおよび文書コンテンツの双方を自装置で再生して表示することも、映像コンテンツのみを自装置で表示して文書コンテンツを別個の表示装置に転送することもできる。以下では、特に断りがない限り、後者に関する説明を行うものとする。
【００４３】
（テレビ１０）
テレビ１０について説明を行う。テレビ１０は、ユーザが離れた位置で映像を鑑賞するための表示装置である。テレビ１０は、図１に示すように、受信部１１、分離部（表示制御手段、転送手段）１２、文書変換部（文書変換手段、転送手段）１３、復号部１４（表示制御手段）、制御部（同期制御手段）１５、および表示部１６を備えている。
【００４４】
受信部１１は、放送にて配信される映像コンテンツと、文書コンテンツとを含む放送データを受信する。受信部１１は、受信した放送データを分離部１２へ供給する。
【００４５】
分離部１２は、映像コンテンツが表示部１６に表示されるように、受信部１１から供給された放送データから映像コンテンツを分離して復号部１４に該映像コンテンツを供給する。また、分離部１２は、文書コンテンツがタブレット端末２０に表示されるように、放
送データから所定の文書コンテンツを分離して文書変換部１３に該文書コンテンツを供給する。ここで、所定の文書コンテンツとは、タブレット端末に送信するデータであることが示されたコンテンツまたは全ての文書コンテンツ等を示す。タブレット端末２０とテレビ１０が接続されていなければ、該所定の文書コンテンツはタブレットに送信されず、復号部１４へ送信される。タブレット端末２０が接続されていても、事前に該所定の文書コンテンツをタブレット端末２０に送信するかユーザに確認し、ユーザが送信しないことを選択した場合、テレビ１０は、該所定の文書コンテンツを復号部１４へ送信するようにしても良い。
【００４６】
文書変換部１３は、分離部１２から供給された文書コンテンツをタブレット端末２０に通信インターフェース（図示しない）を介して送信する。また、文書変換部１３は、分離部１２から供給された文書コンテンツの情報を一部書き換えるなどの変換処理を施し、変換後の文書コンテンツをタブレット端末２０に転送する。文書変換部１３の詳細については後述する。
【００４７】
復号部１４は、分離部１２から供給され、表示部１６にて表示する映像コンテンツ等を復号し、表示部１６に復号処理結果を表示させる。また、復号部１４は、映像コンテンツ等の再生を行うことを、制御部１５に通知する。
【００４８】
制御部１５は、復号部１４からの通知を受信すると、表示部１６に表示される映像コンテンツとタブレット端末２０に表示される文書コンテンツとの時刻同期を取るための制御を行う。具体的には、制御部１５は、テレビ１０の時刻情報を取得し、通信インターフェース（図示しない）を介してタブレット端末２０に送信する。制御部１５は、タブレット端末２０からタブレット端末２０の時刻情報を取得した上で、取得した時刻情報でテレビ１０の時刻情報を更新する。あるいは、タブレット端末２０が自身の時刻情報を所定のＮＴＰサーバ（時刻サーバ）からの時刻情報で更新するように構成されている場合には、制御部１５は、同じＮＴＰサーバからの時刻情報でテレビ１０の時刻情報を更新してもよい。
【００４９】
表示部１６は、映像コンテンツを表示するディスプレイである。
【００５０】
（タブレット端末２０）
次に、タブレット端末２０について説明を行う。タブレット端末２０は、ユーザが手元で操作することが可能なコンテンツ表示装置である。タブレット端末２０は、受信部２１、送信部２２、処理部２３、制御部２４、入力部２５および表示部２６を備えている。
【００５１】
受信部２１は、テレビ１０から送信された文書コンテンツを受信する。また、受信部２１は、外部のサーバから通信ネットワークによって配信される別の文書データ（例えばＨＴＭＬコンテンツなど）や静止画、映像データからなるネットコンテンツを受信する。
【００５２】
送信部２２は、外部のサーバに情報を送信する。送信部２２は、例えば、文書コンテンツ内に記載のあるＵＲＬで指定されるサーバに、そのＵＲＬで指定されるネットコンテンツを取得するためのリクエスト情報を送信する。
【００５３】
処理部２３は、タブレット端末２０を統括的に制御する。処理部２３は、受信した文書コンテンツを復号処理し、受信部２１が受信したネットコンテンツと共に表示部２６に表示させる。また、処理部２３は、コンテンツを表示させることを、制御部２４へ通知する。さらに、処理部２３は、例えば、入力部２５にて受け付けたユーザからの指示を、制御部２４へ指示する。なお、処理部２３が行う処理はこれに限定されない。
【００５４】
制御部２４は、テレビ１０から送信された時刻情報を用いて、テレビ１０との時刻同期を行う。制御部２４は、処理部２３からの時刻情報（ｔ１とする）を受信すると、タブレット端末２０の時刻情報（ｔ２とする）を取得し、送信された時刻情報とタブレット端末２０の時刻情報が一致しているかを判定する。制御部２４は、時刻情報にずれがあると判定された場合（時刻情報が一致していない場合）に、タブレット端末２０の時刻を送信された時刻情報から得られる時刻に強制的に変更する（すなわちｔ２をｔ１で更新する）。
【００５５】
また、制御部２４は、外部のＮＴＰサーバ（図示しない）等から配信された時刻情報を受信し、受信した時刻情報でタブレット端末２０の時刻情報を変更しても良い。なお、上記手法では、タブレット端末２０の時刻が不連続となる。この不連続の程度が大きいと音声の音飛びや映像のスキップの原因となる。このため、不連続の程度が大きい場合は、段階的に変更するなどの処理を行っても良い。例えば、Ｎ段階（Ｎは任意の自然数）で変更する場合、一度の変更量は｜ｔ１−ｔ２｜／Ｎとなる。
【００５６】
入力部２５は、ユーザからの指示を受け付け、処理部２３に通知する。
【００５７】
表示部２６は、受信部２１にてテレビ１０から受信した文書コンテンツを表示するディスプレイである。なお、表示部２６は、前記文書コンテンツ内もしくはユーザ入力等で指定された外部のＨＴＴＰサーバから配信されたネットコンテンツも表示可能である。
【００５８】
（放送データの構成）
次に、本実施形態において、テレビ１０が受信する放送データの構成（データ構造）について図２および図９を参照して説明する。図２（ａ）は、本実施形態における放送データの構成を示す図であり、図２（ｂ）は、ＰＡＴのシンタックスの一例を示す図であり、図２（ｃ）は、ＰＩＤ＝program_map_PIDのシンタックスの一例を示す図である。また、
図９は、ＰＭＴのシンタックスの一例を示す図である。
【００５９】
図２では、放送データの一例として、ＭＰＥＧ−２  ＴＳ（Transport Stream）方式の放送データを示している。なお、放送データの構成はこれに限定されない。
【００６０】
図２（ａ）に示すように、放送データは、１パケットが１８８バイトの複数のＴＳパケットで構成されている。ＴＳパケットは、ヘッダとペイロードから構成される。ヘッダには制御情報が含まれており、ペイロードには分割された映像データや音声データ等のコンポーネントが含まれている。また、ヘッダの制御情報は、当該ＴＳパケットがどのようなコンポーネントを内包しているのかを示すパケット識別子（ＰＩＤ）などの情報を含んでいる。
【００６１】
ＰＩＤ＝０（０ｘ００）のＴＳパケットは、ＰＡＴ（Program Association Table）と
呼ばれ、図２（ｂ）に示すシンタックスの通り、ペイロード部分に１３ビットのＰＭＴ（Program Map Table）のＰＩＤ（program_map_PID）を含んでいる。
【００６２】
ＰＩＤ＝program_map_PIDのＴＳパケットは、図２（ｃ）に示すシンタックスの通り、
放送データを構成する各コンポーネントのＰＩＤなどの情報を含んでいる。すなわち、各ＰＩＤは、８ビットのstream_typeと１３ビットのelementary_PIDとの組で表される。Stream_typeは、例えば、映像データでは、stream_type=0x01、音声データでは、stream_type=0x03などと定められている。なお、本実施形態の以降の説明では便宜上、音声データを表すＰＩＤ（ＡＵＤＩＯ＿ＰＩＤ）を「Ａ」、映像データを表すＰＩＤ（ＶＩＤＥＯ＿ＰＩＤ）を「Ｖ」、ＢＭＬデータを表すＰＩＤ（ＤＡＴＡ＿ＰＩＤ）を「Ｄ」、イベントメッセージ（例えばＥＰＧなど）を表すＰＩＤ（ＥＶＥＮＴ＿ＰＩＤ）を「Ｅ」と表記する。
【００６３】
また、本実施形態においては、放送データにおけるＰＭＴには、対象コンポーネントがインタラクティブデータであり、タブレット端末に送信するデータであることを表す情報が含まれる。すなわち、図９に示すように、ＰＭＴのシンタックスのreserved領域の１ビットであるintractive_flagを用い、これが１である場合は、双方向通信を行うために参
照される情報を含むデータ、すなわち、双方向性関連データでもあること示す。
【００６４】
例えば、インタラクティブデータであるＢＭＬデータについては、対象コンポーネントがインタラクティブデータであることを表す「interactive_flag」が１とする。あるいは、stream_type（メタ情報）として「ＩＮＴＥＲＡＣＴＩＶＥ＿ＤＡＴＡ」を示す値(例えば0x7Fなど)を設定してもよい。なお、いずれの場合も、本実施形態の以降の説明では便
宜上、ＡＵＤＩＯ＿ＰＩＤなどの場合と同様に、「ＩＮＴＥＲＡＣＴＩＶＥ＿ＤＡＴＡ」を含むＴＳパケットのＰＩＤを「Ｉ」と表記する。
【００６５】
このように、本実施形態における放送データは、対象コンポーネントがインタラクティブデータであることを示す情報を含んでいる。
【００６６】
（分離部１２について）
次に、分離部１２の処理について、詳細に説明する。分離部１２は、図２に示すような放送データが受信部１１から供給されると、ＰＩＤ＝０のパケットであるＰＡＴを解析し、ＰＭＴ＿ＰＩＤを取得する。次に、分離部１２は、ＰＩＤ＝ＰＭＴ＿ＰＩＤであるパケットからＰＭＴを抽出する。その後、抽出したＰＭＴを解析し、各コンポーネントのＰＩＤ（「Ａ」、「Ｖ」、「Ｄ」および「Ｅ」）を取得する。さらに、前述した方法で各コンポーネントがインタラクティブデータであるか否かを判断し、「Ｉ」を取得する。
【００６７】
その後、分離部１２は、各ＴＳパケットのＰＩＤが「Ｉ」である場合は、文書変換部１３へ、それ以外は復号部１４へ供給する。なお、ＰＩＤが「Ｉ」のコンポーネントには、当該コンポーネントの時刻情報（例えば、ＢＭＬデータの再生時刻を示す情報や、ＢＭＬスクリプトを発火させる時刻を含むイベントメッセージ等）といったタイミング情報も含まれる場合がある。
【００６８】
以上のように、分離部１２は、ＰＭＴにおいてインタラクティブデータであることが示された各コンポーネントと、インタラクティブデータでないことが示された各コンポーネントとを分離する役割を担っている。
【００６９】
（文書変換部１３について）
次に、文書変換部１３について、図３および図４を参照して説明を行う。図３は、テレビ１０が受信する文書データがＢＭＬ文書である場合におけるＢＭＬ文書の一例を表す図である。また、図４は、テレビ１０が図３のＢＭＬ文書を受信した場合にＢＭＬコンテンツおよび映像コンテンツをテレビ１０で表示する場合の表示部１６の画面構成を左側に、タブレット端末２０がＢＭＬコンテンツを表示する場合の表示部２６の画面構成を右側に、対比して示した図である。
【００７０】
文書変換部１３は、図３に示すようなＢＭＬ文書のうち、タブレット端末２０では使用しない部分を削除し、この文書をタブレット端末２０に送信する。図３の下線部は、現在放送中の映像コンテンツを示す文字列である。タブレット端末２０は、放送される映像コンテンツを表示しないため、このような情報を受信しても利用できない。そこで、タブレット端末２０が利用できない情報を受信して処理するという無駄をなくすため、文書変換部１３は、例えば、図３の下線部で示すような、「data=”/-1”」を含むobjectタグ（図３では映像を表示するために参照されるobjectタグ）など、タブレット端末２０では使用
しない部分を適切な形に書き換えて、タブレット端末２０に送信する。一方、図３の下線部の記述を読みとったテレビ１０は、記述に従い、図４（ａ）、図４（ｂ）および図４（ｃ）の左側に示すように、映像（video）１０１を表示部１６に表示する。
【００７１】
文書変換部１３の書き換えの例として、例えば、objectタグをタブレット端末２０で表示可能なデータ（例えば、静止画、テキスト等）２０１に置き換える場合が考えられる。この場合、タブレット端末２０は、テレビ１０から受信したＢＭＬコンテンツを再生すると、図４（ａ）の右側に示すように、文書変換前のＢＭＬ文書にて映像１０１を表示すべき領域として示されていた領域にデータ２０１を表示した上でＢＭＬコンテンツを表示する。
【００７２】
また、文書変換部１３は、文書変換前のＢＭＬ文書からobjectタグを単に削除してもよい。この場合、タブレット端末２０は、テレビ１０から受信したＢＭＬコンテンツを再生すると、図４（ａ）の右側に示すように、文書変換前のＢＭＬ文書にて映像１０１を表示すべき領域として示されていた領域を空白にした上でＢＭＬコンテンツを表示する。
【００７３】
さらに、テレビ１０が、図４（ｃ）の左側に示すように映像１０１の下部にテキスト１０２が表示されるようなＢＭＬ文書を受信する場合には、文書変換部１３は、映像１０１を表示すべき領域として示されていた領域にテキスト１０２が表示され、テキスト１０２を表示すべき領域として示されていた領域が空白となるように、ＢＭＬ文書を変換する。この場合、タブレット端末２０の表示部２６には、図４（ｃ）の右側に示すような画面構成でＢＭＬコンテンツが表示される。
【００７４】
なお、文書変換部１３は、図３に示すようなＢＭＬ文書をそのままタブレット端末２０に送信しても良い。
【００７５】
また、文書変換部１３の別の処理方法として、上記ではＢＭＬ文書を例に説明を行ったが、ＸＳＬＴ（eXtensible Style Language Transform）を解釈してそれに基づき変換す
る構成としても良い。この場合、変換部の文書はＢＭＬ以外のフォーマットでも適用可能である。
【００７６】
このように、文書変換部１３は、ＢＭＬコンテンツを、タブレット端末２０で表示可能なコンテンツに変換する。これにより、文書変換部１３は、タブレット端末２０で表示すべきコンテンツのみを送信することができる。
【００７７】
なお、テレビ１０とタブレット端末２０との通信は、例えば無線ＬＡＮ、Ｂｌｕｅｔｏｏｔｈ（登録商標）、ＺｉｇＢｅｅ（登録商標）などを用いる。
【００７８】
（処理部２３について）
次に、処理部２３について説明を行う。処理部２３は、テレビ１０から送信されたＢＭＬコンテンツを、表示部２６に表示可能なサイズに調整し、表示部２６に表示する。また、処理部２３は、ＢＭＬコンテンツと併せて、受信部２１が通信用のインターフェースを介して受信したネットコンテンツを表示部２６に表示することもできる。先に述べたように、通信用のインターフェースを介して受信するコンテンツは、ＢＭＬコンテンツに記述されたＵＲＬに基づくコンテンツである場合のほか、ユーザが直接指定したＵＲＬや他のＨＴＭＬ文書が示すＵＲＬである場合のいずれのケースであっても良い。このときの、タブレット端末２０の表示画面の一例を図５に示す。
【００７９】
図５に示すように、タブレット端末２０は、ＢＭＬコンテンツ（放送からのデータ）を表示部２６の右側に表示し、ネットコンテンツ（通信からのデータ）を表示部２６の左側
に表示する。このように、タブレット端末２０は、ＢＭＬコンテンツとネットコンテンツとを同時に表示させることができる。
【００８０】
（テレビ１０の利点）
以上のように、映像コンテンツと文書コンテンツとを受信可能なテレビ１０は、映像コンテンツを表示部１６に表示し、タブレット端末２０が表示部２６に表示することになる文書コンテンツをタブレット端末２０に転送する。タブレット端末２０は、テレビ１０に比べてネットコンテンツを好適に鑑賞できる表示装置であるため、放送にて受信した映像とネットコンテンツとの双方をユーザに好適に鑑賞させることができる。
【００８１】
また、このようなタブレット端末２０は、ユーザからの操作を受け付けるため、リモートコントローラとして使用することもできる。
【００８２】
また、映像コンテンツとＢＭＬコンテンツとの同期を取ることにより、テレビ１０に表示される映像とタブレット端末２０に表示されるＢＭＬコンテンツとの時間的なタイミングを合わせることができる。
【００８３】
以上の説明では、映像コンテンツを表示部１６に、文書コンテンツをタブレット端末２０に転送して表示する場合を述べたが、上記説明における「Ｄ」を「Ａ」と読み替えれば逆に、文書コンテンツを表示部１６に、映像コンテンツのうち、特に音声をタブレット端末２０に転送する場合にも適用可能である。音声出力を手元のタブレット端末２０で行うことは、例えば、耳の聞こえにくい高齢者に有効である。また、映像コンテンツの音声および動画の両方を転送する場合、文書変換部１３は特段の処理は不要であるため、そのままタブレットに転送すればよい。
【００８４】
〔実施形態２〕
以下、本発明の他の実施形態（実施形態２）について、図６を参照して説明する。図６は、本実施形態に係る通信システム２の概略を示すブロック図である。図６に示すように、通信システム２は、テレビジョン受像機（テレビ）３０と、アダプタ（受信装置）４０と、タブレット端末（第２の表示装置）５０とを含んでいる。
【００８５】
テレビ３０は、一般的に利用されているテレビジョン受像機であるため、説明を割愛する。
【００８６】
アダプタ４０は、テレビ３０に取り付けることにより、テレビ３０が受信する放送データを受信可能な装置である。アダプタ４０は、図６に示すように、受信部４１、分離部４２、および文書変換部４３を備えている。
【００８７】
受信部４１および文書変換部４３は、それぞれ受信部１１および文書変換部１３と同様の処理を行うため、説明を割愛する。
【００８８】
分離部４２は、受信部４１から供給されたＢＭＬコンテンツなどの文書コンテンツをタブレット端末２０に表示するように、文書変換部１３にＢＭＬコンテンツなどの文書コンテンツを供給する。なお、分離部４２は、受信部４１から供給された映像コンテンツを破棄することを除いては、実施形態１で説明を行った分離部１２と同様の処理を行う。
【００８９】
タブレット端末５０は、タブレット端末２０と同様に、ユーザが手元で操作することが可能なコンテンツ表示装置である。タブレット端末５０は、アダプタ４０から送信されたＢＭＬコンテンツなどの文書コンテンツ、および、外部のサーバのような他の装置から配信されたコンテンツ（例えば、ネットコンテンツなど）を受信し、表示する。
【００９０】
また、タブレット端末５０は、チャンネル選択ボタン（物理的なボタン、または、ソフトウェアで実装されたボタン）を備えている。当該ボタンの押下を検出すると、タブレット端末５０の制御部（図示しない）は、赤外線通信などによりチャンネル選択信号をテレビ３０およびアダプタ４０に送信する。これにより、テレビ３０およびアダプタ４０が同一の放送データ（番組コンテンツ）を受信し、タブレット端末５０は、テレビ３０に対応するＢＭＬコンテンツを表示することになる。テレビ３０へのチャンネル選択信号は、タブレット端末５０からではなく、アダプタ４０を経由しても良い。
【００９１】
このように、一般的に利用されているテレビジョン受像機であるテレビ３０を用いることによっても、アダプタ４０を用いることにより、テレビ３０とタブレット端末５０との連携を取ることができ、放送にて受信した映像とネットコンテンツとの双方をユーザに好適に鑑賞させることができる。
【００９２】
〔実施形態３〕
以下、本発明の他の実施形態（実施形態３）について、図７および図８を参照して説明する。図７は、本実施形態に係る通信システム３の概略を示すブロック図である。また、図８は、本実施形態に係るテレビジョン受像機（テレビ）３０の表示画面の論理構造の一例を示す図である。
【００９３】
まず、図８を用いて、テレビ３０の表示画面の階層構造について説明を行う。テレビ３０の表示画面は、映像を表示する映像プレーン、図形を表示する図形プレーン、双方向性を有した図形を表示する図形（双方向）プレーンおよびチャンネル切り替え時のアイコンなどの画面表示（ＯＳＤ（On Screen Display））を行うＯＳＤプレーンからなる。テレ
ビ３０は、これらの各プレーンを重ね合わせることにより、各メディアを適切な形で表示させることができる。なお、映像プレーンは、映像のほかに、動画、静止画等を表示しても良い。また、図形プレーンおよび図形（双方向）プレーンは図形のほかに、文字などの情報を表示しても良い。
【００９４】
（通信システム３）
次に、本実施形態に係る通信システム３について説明を行う。図７に示すように、通信システム３は、テレビ（表示装置）６０と、タブレット端末（別個の表示装置）７０とを含んでいる。
【００９５】
なお、説明の便宜上、前記実施形態１および実施形態２にて説明した図面と同じ機能を有する部材については、同じ符号を付記し、その説明を省略する。
【００９６】
（テレビ６０）
テレビ６０について説明を行う。テレビ６０は、ユーザが離れた位置で鑑賞するための表示装置である。テレビ６０は、図７に示すように、受信部１１、分離部（表示制御手段）６２、映像復号部６３、図形復号部６４、図形（双方向）復号部６５、表示部６６および制御部６７を備えている。
【００９７】
分離部６２は、受信部１１から供給された映像コンテンツを表示部６６に表示するように、映像コンテンツを映像復号部６３および図形復号部６４に供給する。また、分離部６２は、受信部１１から供給された図形コンテンツ（付加コンテンツ）をタブレット端末７０に表示するように、図形（双方向）復号部６５に図形コンテンツを供給する。タブレット端末７０とテレビ６０が接続されていなければ該図形（双方向）コンテンツはタブレット端末７０に送信されず、図形復号部６４へ送信される。タブレット端末７０が接続されていても、事前に該図形（双方向）コンテンツをタブレット端末７０に送信するかユーザ
に確認し、ユーザが送信しないことを選択した場合、テレビ６０は該図形（双方向）コンテンツを図形復号部６４へ送信するようにしても良い。
【００９８】
映像復号部６３は、分離部６２から供給された映像コンテンツに含まれる映像を復号し、映像プレーンを作成する。映像復号部６３は、作成した映像プレーンを表示部６６に供給する。
【００９９】
図形復号部６４は、分離部６２から供給された映像コンテンツに含まれる図形を復号し、図形プレーンを作成する。図形復号部６４は、作成した図形プレーンを表示部６６に供給する。
【０１００】
なお、映像復号部６３は、映像のほかに、動画、静止画等を復号してもよい。また、図形復号部６４は、図形のほかに文字等を復号してもよい。また、図形復号部６４は、ＯＳＤプレーンを作成しても良い。
【０１０１】
図形（双方向）復号部６５は、分離部６２から供給された図形コンテンツを復号し、復号したデータ（描画データ）を制御部６７に供給する。ここで、描画データには、図形（双方向）プレーンを作成するために必要な、ビットマップやサイズ情報などが含まれる。
【０１０２】
表示部６６は、映像復号部６３から供給された映像プレーンと、図形復号部６４から供給された図形プレーンとを重ね合わせて表示する。なお、表示部６６は、テレビ６０と一体とした構成ではなく、テレビ６０と別個の構成（第１の表示装置）としてもよい。
【０１０３】
制御部６７は、図形（双方向）復号部６５から供給された描画データをタブレット端末７０に送信する。
【０１０４】
（タブレット端末７０）
次に、タブレット端末７０について説明を行う。タブレット端末７０は、ユーザが手元で操作することが可能なコンテンツ表示装置である。タブレット端末７０は、受信部２１、送信部２２、処理部２３、制御部７１、入力部２５および表示部２６を備えている。
【０１０５】
制御部７１は、テレビ３０から送信された描画データを受信し、描画データを表示部２６にて表示できる状態に変換する。つまり、制御部７１は、例えば、図形（双方向）プレーンを生成する。制御部７１は、生成した図形（双方向）プレーンを処理部２３に供給する。
【０１０６】
処理部２３は、制御部７１から供給された図形（双方向）プレーンを表示部２６に表示させる。
【０１０７】
このように、作成したプレーンを用いて、放送データを表示部６６に表示するようなテレビ６０であっても、放送にて受信した映像とネットコンテンツとの双方をユーザに好適に鑑賞させることができる。
【０１０８】
〔付記事項〕
なお、実施形態１では、表示装置としてＡＲＩＢなどのデジタル放送規格に準拠したテレビジョン受像機を採用し、映像コンテンツをテレビジョン受像機に表示するとともに、文書コンテンツであるＢＭＬコンテンツをタブレット端末に表示するものとしたが、本発明はこれに限定されない。
【０１０９】
例えば、表示装置としてＤＶＢ規格に準拠したテレビジョン受像機を採用してもよい。
この場合、例えば、表示装置が、映像コンテンツをテレビジョン受像機に表示するとともに、ＤＶＢ−ＪやＤＶＢ−ＨＴＭＬといった放送データ用の記述言語で記述された文書コンテンツをタブレット端末に表示するように構成されていてもよい。
【０１１０】
〔プログラム及び記録媒体〕
また、上述したテレビ１０、テレビ６０およびアダプタ４０の各ブロックは、ハードウェアロジックによって構成してもよいし、次のようにＣＰＵを用いてソフトウェアによって実現してもよい。
【０１１１】
すなわち、テレビ１０、テレビ６０およびアダプタ４０は、各機能を実現する制御プログラムの命令を実行するＣＰＵ（central processing unit）、上記プログラムを格納し
たＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるテレビ１０、テレビ６０およびアダプタ４０の制御プログラム（認証プログラム）のプログラムコード（実行形式プログラム、中間コードプログラム、ソースプログラム）をコンピュータで読み取り可能に記録した記録媒体を、上記テレビ１０、テレビ６０およびアダプタ４０に供給し、そのコンピュータ（またはＣＰＵやＭＰＵ）が記録媒体に記録されているプログラムコードを読み出し実行することによっても、達成可能である。
【０１１２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１３】
また、テレビ１０、テレビ６０およびアダプタ４０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信
ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１５】
本発明は、テレビジョン受像機などの表示装置に好適に利用することができる。
【符号の説明】
【０１１６】
１  通信システム
１０  テレビ（表示装置）
１１  受信部
１２  分離部（表示制御手段、転送手段）
１３  文書変換部（文書変換手段、転送手段）
１４  復号部（表示制御手段）
１５  制御部（同期制御手段）
１６  表示部
２０  タブレット端末（別個の表示装置）
２１  受信部
２２  送信部
２３  処理部
２４  制御部
２５  入力部
２６  表示部
２  通信システム
３０  テレビ（第１の表示装置）
４０  アダプタ（受信装置）
４１  受信部
４２  分離部
４３  文書変換部
５０  タブレット端末（第２の表示装置）
３  通信システム
６０  テレビ（表示装置）
６２  分離部（表示制御手段）
６３  映像復号部（表示制御手段）
６４  図形復号部
６５  図形（双方向）復号部
６６  表示部
６７  制御部
７０  タブレット端末（別個の表示装置）
７１  制御部
【図１】
2013046386.tif 000003
【図２】
2013046386.tif 000004
【図３】
2013046386.tif 000005
【図４】
2013046386.tif 000006
【図５】
2013046386.tif 000007
【図６】
2013046386.tif 000008
【図７】
2013046386.tif 000009
【図８】
2013046386.tif 000010
【図９】
2013046386.tif 000011